(57)【要約】【課題】今迄の使用法や利用法に限定されないクリアファイルとホワイトボードを組み込んだファイルを提供する。【解決手段】内側の片面または両面にホワイトボードを設けた表紙、片面または両面がホワイトボードのシート、複数枚つづら折りに連なった折りたたみ伸展する片面または両面がホワイトボードのシート、無色または面の一部または全部に着色を施した透明のクリアファイル、複数枚つづら折りに連なった折りたたみ伸展する無色または面の一部または全部に着色を施した透明のクリアファイル、以上から構成されるファイルにホワイトボード専用の筆記具と字消しを収納したケースを装着することを特徴とした文房具。【選択図】図１
2004299412.tif 000002
【特許請求の範囲】
【請求項１】
表紙の内側の片面または両面にホワイトボードを設け、片面または両面がホワイトボードのシートと、複数枚を横方向、縦方向につづら折りに連ね折りたたみ伸展するホワイトボードのシートと、無色または面の一部または全部に着色を施した透明のクリアファイルと、複数枚を横方向、縦方向につづら折りに連ね折りたたみ伸展する無色または面の一部または全部に着色を施した透明のクリアファイルとを固定または着脱式に装着し、ホワイトボード専用の筆記具と字消しを収納したケースを装着することを特徴とするファイル。
【発明の詳細な説明】
【技術分野】
【０００１】  本発明は、表紙の内側の片面または両面にホワイトボードを設け、片面または両面がホワイトボードのシートと、複数枚を横方向、縦方向につづら折りに連ね折りたたみ伸展するホワイトボードのシートと、無色または面の一部または全部に着色を施した透明のクリアファイルと、複数枚を横方向、縦方向につづら折りに連ね折りたたみ伸展する無色または面の一部または全部に着色を施した透明のクリアファイルを固定または着脱式に装着し、ホワイトボード専用の筆記具と字消しを収納したケースを装着することにより、書き消し自在、複数面への筆記、描写、着色したクリアファイルの色別による簡便な分類と印象的かつ効果的な表示、つづら折りになった複数のページの一挙表示等が可能になり、既存のファイルとホワイトボードの特徴を兼ね備えただけでなく、その使い道を更に広げいつでもどこでも一層便利に使えるファイルに関するものである。
【背景技術】
【０００２】  従来、書類等を収納するクリアファイルを束ねて綴じたファイルと携帯型ホワイトボードはあった。
【発明の開示】
【発明が解決しようとする課題】
【０００３】そのために、次のような問題点があった。
（イ）筆記、描写する必要がある時、白紙やそれに代わる物を別に要した。
（ロ）従来の携帯用のホワイトボードは使用時の大きさにおいて必ずしも十分ではなかった。
（ハ）従来の携帯用ホワイトボードは同時に使用できる面が最大で見開きの左右２面だけで、３面以上に筆記、描写ができなかった。
（ニ）ホワイトボードは専用の筆記具が必要であるため、忘れるなどの理由で手元に無い場合、せっかくの機能を生かすことが出来なかった。
（ホ）無色のクリアファイルだけでは分類に不便であるだけでなく、表示時において着色による印象づける効果も期待出来なかった。
（ヘ）クリアファイルを一面ずつ綴ってあるファイルでは、同時に表示できる面が最大で見開きの左右２面だけという制限があり不便があった。
（ト）学習効果等の目的でページを覆う必要がある時カバーとなる物を別に用意する必要があった。
【課題を解決するための手段】
【０００４】  表紙内側の片面または両面にホワイトボードを設ける。両面または片面がホワイトボードのシートを本体に装着する。片面または両面がホワイトボードのシートを横方向、縦方向に複数枚つづら折りに連ね、折りたたみおよび伸展自在とし本体に装着する。面の一部または全部に着色を施した透明のクリアフィルを本体に装着する。面の一部または全部に着色を施した複数枚の透明のクリアファイルを横方向、縦方向につづら折りに連ねて折りたたみおよび伸展自在とし、本体に装着する。装着方法は固定またはバインダー方式およびルーズリーフ方式等に対応して着脱可能とする。補充または既存のファイルやテキスト等に装着する方法としてクリアファイル及びホワイトボードの一端に接着テープを装備する。ホワイトボード専用の筆記具と字消しを収納したケースをファイル本体に装着する。
【発明の効果】
【０００５】  書き消し自在な特性を持つホワイトボードを、表紙の内側及び別途ページとして装備することで、従来のファイルでは、紙あるいはそれに代わるものがなければ出来なかった筆記、描写が、それぞれのクリアファイル内に収納した資料等を確認しながら必要に応じていつでも出来る。また、シート状のホワイトボードを折りたたみ伸展させたり広げたりできるように複数枚つなぐことで、必要なページをふさぐことなく使用できるホワイトボード機能は、営業等の説明時においてより効果的な力を発揮することが出来る。携帯性を損なわずに広げて大型並みの使用をしたり、紙芝居式に表示したりする等、１面または２面のみのホワイトボードにはなし得ない多様で効率的な使い方が出来る。クリアファイルやホワイトボートをつづら折りにすることでページを直ぐ開く為のしおりとして、また目隠し用のカバーとしても使用できる。ホワイトボード専用の筆記具を合体させることで、いつでもどこでも書き消しができるホワイトボードの特性を生かし、紙の消費を減らしごみの排出を減らすことが出来る。無色透明のクリアファイルの面の一部または全部に着色を施すことで、色分けによる簡便な整理や印象的な表示効果が期待できる。複数のクリアファイルを横方向、縦方向に一連のつづら折り状につなげることで、必要な数の資料を一度に広げることが出来、効率的な表示と作業効率が期待出来る。ホワイトボードとクリアファイルを同時に使用出来るということだけでなく、折りたたんだり伸展させたり広げたり出来るようにして合体させることで、携帯性を損なうことなく、アイディア次第で今までの使い方に限定されない使用法、活用法が生まれ、様々な場面での新たな需要により、買い替えと新規の消費を促し、経済への波及効果の原動力として期待できる。
【発明を実施するための最良の形態】
【０００６】  以下、本発明の実施の形態について説明する。
（イ）ファイルの表紙（１）内側の両面または片面にホワイトボード（２）を設ける。
（ロ）両面または片面がホワイトボードのシート（３）を本体に装着する。
（ハ）ホワイトボードのシート（３）複数枚を横方向、縦方向につづら折りに連ねることにより折りたたみ伸展するホワイトボード（４）とする。
（ニ）無色のクリアファイル（５）とクリアファイルの面の一部または全部に着色を施したクリアファイル（６）を装着する。
（ホ）無色のクリアファイル（５）またはクリアファイルの面の一部または全部に着色を施したクリアファイル（６）複数枚を横方向、縦方向につづら折りに連ねることにより折りたたみ伸展するクリアファイル（７）とする。
（ヘ）本発明における複数枚を横方向、縦方向につづら折りに、の横方向、縦方向はいずれか一方向のみに拘泥するわけではなく、両方向同時連結の実施例とすることも可能であり、つづら折りは３面以上の連続した面に拘泥するわけではなく、２面連結の実施例とすることも可能である。
（ト）ホワイトボードのシート（３）、折りたたみ伸展するホワイトボード（４）、クリアファイルの面の一部または全部に着色を施したクリアファイル（６）、折りたたみ伸展するクリアファイル（７）の綴じる側の端に着脱用としてルーズリーフ用の穴（８）を設ける。（図２参照）
（チ）ホワイトボードのシート（３）、折りたたみ伸展するホワイトボード（４）、クリアファイルの面の一部または全部に着色を施したクリアファイル（６）、折りたたみ伸展するクリアファイル（７）の綴じる側の端に装着するための接着テープ（９）を設ける。（図３参照）
（リ）ホワイトボード専用のペン（１０）と字消し（１１）はケース（１２）に収納しファイル本体に装着しファイルと一緒に携帯出来るようにする。
（ヌ）ホワイトボード専用のペンは（１０）、一つで細書き太書きの両方に対応できるようペン先（１３）を幅広の平らな四角形とする。
（ル）ホワイトボード専用の筆記具は、ペン（１０）、字消し（１１）、字消しホルダー（１５）、ペン（１０）のキャップを兼ねた拡大鏡（１４）の各部分から構成される一体型であり、個別に分離して使用することができる。（図４参照）
（ヲ）字消しホルダー（１５）に差し替え自在の字消し（１１）は、使用するときは字消しホルダー（１５）に装着し、単独で、又は拡大鏡（１４）かペン（１０）に接続する。幅広く消す時には字消しホルダー（１５）へ横に装着し、汚れたら新しい字消し（１１）と交換し、ケース（１２）に収納時は字消しホルダー（１５）に縦に装着する。（図４及び図５参照）
（ワ）交換用のペン（１０）は拡大鏡（１４）兼用のキャップと字消しホルダー（１５）それぞれに接続できるものとする。
（カ）ホワイトボード専用筆記具収納用のケース（１２）は、ファイルの好みの場所へ装着してファイルといつでも一緒に携行できるよう、接着テープまたは面ファスナーを装備する。尚、図６に於いては、実施例のひとつとして、背扉カバー部分を当該ケースとした実施例を示している。（図６参照）
（ヨ）ホワイトボード専用筆記具の収納用ケース（１２）は仕切りを設けるなどして、ペン（１０）と交換用の字消し（１１）が安定して保管できるようにする。
本発明は以上の構成で、使用するときはファイルを開き、必要に応じクリアファイルとホワイトボードを引き出し広げる。複数の物を単に併せ使用するだけではなく、合体させることによりそれぞれが持つ特徴や利便性から生まれる相乗効果により、今までに無かった新しい使い方や活用が出来る。面の一部または全部に着色を施したクリアファイル（６）の色による効果や折りたたみ伸展するクリアファイル（７）のページを順番に繰り出したり、何枚も一挙に表示したり出来る機能は、営業に於けるプレゼンテーションにおいて今までには無い効果的な使い方が期待できる。同時に何面も自由に使い分けのできる折りたたみ伸展するホワイトボード（４）は１面や２面だけでは出来ない効果的な使用ができる。また、携帯用にありがちな小さくて十分役に立たないということも何面も広げることで簡単に解決できる。広げて使えるファイルとホワイトボード、専用の筆記具を一つにまとめてあることで、いつでもどこでも、狭い場所でも広い場所でも時と場所を選ばずそこがいつでもプレゼンテーションの会場となり、時期を逃さない効果的な活動が出来る。また学習や習い事においては、繰り返し自在に書き消しできるホワイトボード機能と、しおりや目隠しのカバーとして引き出して利用できる伸展させられる機能は、学習効果をより高める活用ができる。教材を入れたファイルを中央にしてホワイトボードを左右に引き出せる機能は、教師と生徒のにわか勉強机にも、教室にもなる。教える者と習う者との学習、お稽古事、独習に、連絡用に、覚え書き用に、デザインやアイディア用に、工事現場や建築現場で書いて打ち合わせをするときの地面や板などのありあわせの物の代わり等々、一つにまとめた効果は多方面で活用の場を広げることができる。また紙を必要としないので、余分なごみを出さずに済む。繰り返し使える書き消し自在のホワイトボードは筆記、描写による意志伝達にも便利で筆談が気軽に出来る。聾唖の障害を持つ者もそうでない者も様々な場面で活用が出来る。眼の不自由な人が白い杖を持つように、特定の形と色のファイルを所持し示すことでどのような状況にある者かを暗に伝えることが出来れば、老人なり聾唖の障害を持つ者がそれを携帯することで、生活に密着した利用が日常的に可能な道具となる。住所や連絡先、聞きたいこと、伝えたいこと、頼みたいこと等の定型文を色分けしたクリアファイルに分類収納し必要に応じ指し示したり、ホワイトボードに書いてもらったり描いてもらったりと、今迄の手帳などには無い利用が可能となる。親子が、お絵かきに使ったり連絡帳として利用したりする時、ファイルとホワイトボードを組み合わせた効果を生かせば、今までとは違った家族の交流ができる。着脱ができるルーズリーフタイプのクリアファイルとホワイトボードを用途に合わせ組み合わせればオリジナルのファイルを作ることが出来る。また粘着テープを装備した補充用を使えば好きな物や所へその機能を追加することが出来る。着脱用も補充用も折りたたみ伸展するホワイトボード（４）は広げることにより大型並みの使用が可能な独立した携帯用ホワイトボードとして単独で利用することが出来る。ペン先（１３）は平らな四角形にすることで、接する面により細書きにも太書きにも一本で自在に対応が出来る。筆記具本体及びケース（１２）そのものも極力平らにすれば、ファイル本体に装着する上で、出っ張りを少なくすることが出来る。必要とされる物を一つに合体させることで、うっかり持ち忘れてしまうことを回避出来る。ファイルは世界中の多くの国々で既に多数使われている実績のある消耗品である。普及品から高級品まで提供できる今までに無い便利な機能を備えたファイルは、買い替えや新規の需要を喚起し新たな消費を生むことで、経済活性化の一端となることが期待できる。
【図面の簡単な説明】
【０００７】
【図１】本発明の開いた状態の斜視図
【図２】本発明の他の実施例の斜視図
【図３】本発明の他の実施例の斜視図
【図４】本発明の他の実施例の斜視図
【図５】本発明の他の実施例の斜視図
【図６】本発明の斜視図
【符号の説明】
【０００８】    １    ファイルの表紙
２    ホワイトボード
３    ホワイトボードのシート
４    折りたたみ伸展するホワイトボード
５    無色のクリアファイル
６    面の一部または全部に着色を施したクリアファイル
７    折りたたみ伸展するクリアファイル
８    ルーズリーフ用の穴
９    接着用テープ
１０  ホワイトボード専用のペン
１１  字消し
１２  筆記用具を収納するケース
１３  ペン先
１４  拡大鏡
１５  字消しホルダー
【図１】
2004299412.tif 000003
【図２】
2004299412.tif 000004
【図３】
2004299412.tif 000005
【図４】
2004299412.tif 000006
【図５】
2004299412.tif 000007
【図６】
2004299412.tif 000008